(57)【要約】一方が他方の上方に配置されていてスリーブ（５２，５４）又は軸上に巻き上げられているペーパーウェブ（５６）から成る少なくとも２つのトイレットペーパーロール（１２，１４）のためのホルダー（１０）に関係し、ホルダーは相互に平行にある距離で配置されている第１及び第２壁（２８，３０）を備えており、ここにおいて、壁（２８，３０）の夫々が、軸又はスリーブ中の開口中に受け入れられることができる軸ジャーナルの個々の一端を受け入れるための案内（４０，４２）を有し、案内（４０，４２）が、トイレットペーパーロール（１２，１４）を供給するための実質的に垂直に延びている供給部分（４０ｂ）を有し、この供給部分は、少なくとも１つの第１切り取り要素（６０，６２）又は停止具（７２）の方向において垂直に関し傾斜して延びている巻解部分（４０ｃ）中に合流しており、巻解部分（４０ｃ）中に配置されているトイレットペーパーロール（１２，１４）の重力が上記トイレットペーパーロールを停止具（７２）に対し円周に支持され、そして、ペーパーウェブ（５６）が除去開口（５８）を介しトイレットペーパーロール（１４）から巻き解かれることができるとともに少なくとも１つの切り取り要素（６０，６２）で切り取られることができる。浅い構造深さで、トイレットペーパーロールの巻き方向とは無関係にトイレットペーパーが巻き解かれるのを許容するために、トイレットペーパーロール（１４）の回転の中心線が後壁（１８）に対し直角に延びるよう第１壁（２８）が後壁（１８）を形成するか又はこのような後壁に連結されることが提案されていて、ここにおいて、トイレットペーパーロール（１２，１４）が第１及び第２壁（２８，３０）の案内（４０，４２）中に受け入れられるとともにその巻解方向とは無関係に巻き解かれることができ、停止具（７４）がトイレットペーパーロール（１２，１４）の周面に関して凸状の表面（７３）を有し、そしてそのためにトイレットペーパーロール（１２，１４）が両方向において巻き解かれることができることが提案され、そして、ホルダー（１０）が除去開口の反対側で第１切り取り要素（６０）に対し実質的に平行に配置されている第２切り取り要素（６２）を有することが提案され、第１及び第２切り取り要素（６０，６２）が除去開口（５８）の側方境界決めを形成している。
2018512989.tif 000002
【特許請求の範囲】
【請求項１】
一方が他方の上方に配置されていて筒（５２，５４）又は軸の回りに巻かれているペーパーウェブ（５６）から成る少なくとも２つのトイレットペーパーロール（１２，１４）のためのホルダー（１０）であって、
相互に平行にある距離で配置されている第１及び第２壁（２８，３０）を備えており、
ここにおいて、壁（２８，３０）の夫々が、軸の個々の端又は筒の開口中に受け入れられることができる個々の軸ジャーナルを受け入れるための案内（４０，４２）を含んでいて、
前記案内（４０，４２）が、トイレットペーパーロール（１２，１４）を供給するための実質的に垂直に延出している供給部分（４０ｂ）を有し、この供給部分は、少なくとも１つの切り取り要素（６０，６２）又は限界停止具（７２）の方向において垂直に対しある角度で延出している巻解部分（４０ｃ）に移行しており、
前記巻解部分（４０ｃ）中に配置されている下方のトイレットペーパーロール（１２，１４）がそれ自身の重量によりその周側で前記限界停止具（７２）によって支持され、そして、
前記ペーパーウェブ（５６）が給紙開口（５８）を介しトイレットペーパーロール（１４）から巻き解くことができるとともに少なくとも１つの切り取り要素（６０，６２）で切り取られることができる、
前記ホルダーにおいて、
前記トイレットペーパーロール（１２，１４）の回転中心線（４６）が後壁（１８）に対し直角に延出するよう前記第１壁（２８）が後壁（１８）を形成するか又はこのような後壁に連結され、前記トイレットペーパーロール（１２，１４）がその巻解方向とは無関係に前記第１及び第２壁（２８，３０）の前記案内（４０，４２）に受け入れられるとともに巻き解かれることができ、
前記限界停止具（７２）が、両方向におけるトイレットペーパーロール（１２，１４）の巻解けを容易にする、トイレットペーパーロール（１２，１４）の周面に関して凸状の表面（７３）を有し、そして、前記ホルダー（１０）が給紙開口の反対側で第１切り取り要素（６０）に対し実質的に平行に配置されている第２切り取り要素（６２）を備えていて、前記第１及び第２切り取り要素（６０，６２）が前記給紙開口（５８）の側方境界を形成している、
ことを特徴する、トイレットペーパーロールホルダー。
【請求項２】
前記凸状の表面（７３）が、側壁，ボルト（７２），又は軸の一部分により形成されている、ことを特徴とする請求項１に記載のトイレットペーパーロールホルダー。
【請求項３】
前記凸状の表面が、２．５ｍｍ≦Ｒ≦１０ｍｍの範囲内の半径Ｒを有し、好ましくはＲ＝５ｍｍである、ことを特徴とする請求項１又は２に記載のトイレットペーパーロールホルダー。
【請求項４】
前記表面（７３）が、隆起又はこぶ（nub）のような表面構造により具体化されている、ことを特徴とする請求項１乃至３の何れか１項に記載のトイレットペーパーロールホルダー。
【請求項５】
垂直に対しある角度で延出している前記案内（４０）の前記巻解部分（４０ｃ）が実質的に垂直に延びている排出部分（４０ｄ）に移行しており、そこにおいては、ボルト（７２）又は前記軸が前記巻解部分（４０ｃ）と前記排出部分（４０ｄ）との間の移行領域の高さ位置に配置されていて、そして、前記凸状の表面（７３）が移行区域において前記案内（４０）から前記筒（５４）の１つの半径に対し実質的に対応している距離だけ離されている、ことを特徴とする請求項１乃至４の何れか１項に記載のトイレットペーパーロールホルダー。
【請求項６】
前記ボルト（７２，７２´）又は前記軸が採用されている筒の半径に従い前記案内（４０）から異なった分離距離で固定される、ことを特徴とする請求項１乃至５の何れか１項に記載のトイレットペーパーロールホルダー。
【請求項７】
前記ボルト（７２）又は前記軸が前記第１及び第２壁の間に延出しているとともに、トイレットペーパーロール（１２，１４）の前記回転中心線（４６）に対し平行に延出している、ことを特徴とする請求項１乃至６の何れか１項に記載のトイレットペーパーロールホルダー。
【請求項８】
前記切り取り要素（６０，６２）が、前記給紙開口（２８）の領域において前記第１及び第２壁（２８，３０）を連結するための側壁部分として具体化されている、ことを特徴とする請求項１乃至７の何れか１項に記載のトイレットペーパーロールホルダー。
【請求項９】
前記切り取り要素（６０，６２）が、前記第１及び第２壁（２８，３０）の間に側壁部分を形成する第１部分（１０６，１０８）を切り取り鋸歯として具体化されている縁を伴った第２部分とともに備えている、ことを特徴とする請求項１乃至７の何れか１項に記載のトイレットペーパーロールホルダー。
【請求項１０】
前記切り取り鋸歯を備えている前記切り取り要素の部分が給紙開口の方向に向かう角度が付けられている、ことを特徴とする請求項１乃至９の何れか１項に記載のトイレットペーパーロールホルダー。
【請求項１１】
前記第１及び第２壁（２８，３０）は側壁部分（１０２，１０４，１０６，１０８）とともに、ハウジング（１６）の後壁（１８）に取り付けられているとともに覆い（２０）により覆われることができるモジュールを形成する、ことを特徴とする請求項１乃至１０の何れか１項に記載のトイレットペーパーロールホルダー。
【請求項１２】
一方が他方の上方に配置されているとともに筒（５２，５４）又は軸上に巻かれているペーパーウェブ（５６）から成る少なくとも２つのトイレットペーパーロール（１２，１４）のためのホルダー（１０）であって、
相互に平行にある距離で配置されている第１及び第２壁（２８，３０）を備えており、
ここにおいて、壁（２８，３０）の夫々は軸の夫々の一端又は筒中に格納されることができる軸ジャーナルを受け入れるための案内（４０，４２）を有しており、前記案内（４０，４２）で下方に配置されているトイレットペーパーロール（１２，１４）は自身の重量のために、その周面を限界停止具（７２）によって支持され、そして、前記ペーパーウェブ（５６）は給紙開口（５８）を通ってトイレットペーパーロール（１４）から巻き解かれることができるとともに、少なくとも１つの切り取り要素（６０，６２）を使用して切り取られることができる、
前記ホルダーにおいて、
トイレットペーパーロール（１２，１４）の回転中心線（４６）が後壁（１８）に対し直角に延出するように第１壁（２８）が後壁（１８）を形成するか又は後壁に連結されていて、そして限界停止具（７２）が、トイレットペーパーロール（１２，１４）の周面に関連して、凸状の表面（７３）を有している、
ことを特徴する、トイレットペーパーロールホルダー。
【請求項１３】
前記ホルダー（１０）が第１及び第２切り取り要素（６０、６２）を備えていて、ここにおいて、第１切り取り要素（６０）及び第２切り取り要素（６２）が給紙開口（５８）の対向している側に配置されている、ことを特徴とする請求項１２に記載のトイレットペーパーロールホルダー。
【請求項１４】
使用中のトイレットペーパーロール（１４）が前記案内（４０，４２）の供給部分（４０ｂ）中に押し戻されることを阻止する閉鎖要素（１１０）が前記案内（４０，４２）中に配置されている、ことを特徴とする請求項１乃至１３の何れか１項に記載のトイレットペーパーロールホルダー。
【請求項１５】
前記閉鎖要素（１１０）が、第２案内要素（６６）において、垂直に対し傾斜して延出している巻解部分（４０ｃ）において、前記案内（４０，４２）に対し横断するように移動可能に設けられている摺動子として具体化されている、ことを特徴とする請求項１乃至１４の何れか１項に記載のトイレットペーパーロールホルダー。
【請求項１６】
重力又はばね負荷の何れかのために、摺動子（１１０）はその端（１１４）で第１案内要素（６４）の内表面（９０）に対し当接している、ことを特徴とする請求項１乃至１５の何れか１項に記載のトイレットペーパーロールホルダー。
【請求項１７】
案内中に突出している前記摺動子（１１０）の端（１１４）は供給側上が楔形状として具体化されていて斜めの表面（１１６）を有しており、その結果として、ペーパーロールがそばを通った時に軸又は軸ジャーナルの端（４０）により摺動子（１１０）が開位置へと移動されることができ、そして、軸又は軸ジャーナルの端（４０）が通過した後に摺動子は、重力又はばね負荷の何れかのために、閉位置へと落ちる、ことを特徴とする請求項１乃至１６の何れか１項に記載のトイレットペーパーロールホルダー。
【請求項１８】
摺動子（１１０）が、トイレットペーパーロールの１つの半径に実質的に対応した距離で前記限界停止具（７２）に関して配置されている、ことを特徴とする請求項１乃至１７の何れか１項に記載のトイレットペーパーロールホルダー。
【発明の詳細な説明】
【技術分野】
【０００１】
この発明は、一方が他方の上に配置されていて、筒又は軸の回りに巻かれているペーパーウェブから成る、少なくとも２つのトイレットペーパーロールのためのホルダーに関係し、ある距離離れて互いに平行に配置されている第１及び第２壁を備えており、ここにおいて、壁の夫々は、軸の端部のそれぞれ又は筒の穴に格納されることができるように軸ジャーナル（journal）のそれぞれを受け入れるための案内を有し、ここにおいて、案内が実質的に垂直に延びている供給部分を備え、供給部分はトイレットペーパーロールを供給するために意図され、巻解（unrolling）部分へと移行し、巻解部分は少なくとも１つの第１切り取り要素又は限界停止具（limit stop）の方向において垂直に対し斜めに延出していて、そして、それ自身の重量により巻解部分中に位置されている下方のトイレットペーパーロールは、その周面で限界停止具（limit stop）に対し支持されており、そして、ペーパーウェブは給紙開口を通りトイレットペーパーロールから巻き解かれることができるとともに少なくとも１つの切り取り要素で切り取られることができる。
【０００２】
上に記載された型のトイレットペーパーロールのためのホルダーは、スイス国特許出願ＣＨ５７１９９４  Ｂ  に記載されている。このホルダーは、第１トイレットペーパーロールを給紙位置に維持するとともに、ロールが完全である第１位置からロールが少なくとも空に近い第２の位置へと複数のペグ（peg）を移動させる第１保持装置を備えていて、給紙位置においては使用者が材料ウェブの一部分を引き出すことができる。さらには、少なくとも第２ロールを給紙位置の上方の保留位置に解放可能に維持する第２保持装置が設けられていて、第１及び第２保持装置は少なくとも１つの枢動レバーを介し互いにリンク結合されており、枢動レバーは第１保持装置において第１筒の複数のペグと後者の位置に対応するために相互作用し、それは第１ロールの複数のペグが第１から第２位置へと移動するまでは第２ロールを保留位置に維持するためであり、そして、複数のペグが第２位置に到達した時に第２ロールを保留位置から自動的に解放し、最終的にはレバーが第２ロールを解放した時に案内装置により第２ロールを保留位置から給紙位置へと案内するためである。給紙装置中の特別な場所においてのみロールが使用されることができることを確実にする目的のために、複数のペグは異なった直径を有し、そして案内溝が異なった幅を有することが意図されている。
【０００３】
この実施形態においてはさらに、ペーパーロールの周面が切り取り刃を備えている前壁と接触していて、その結果として巻き解きを一方向においてのみ行うことができる。
【０００４】
ドイツ国特許出願ＤＥ２２０５１８６  Ａ  は、トイレットペーパーロールのための更なるホルダーを開示している。このホルダーはベース板から成り、ベース板にはドーム形覆いが搭載可能及び搖動可能なように取り付けられている。ベース板からは、所定の距離で互いに平行に配置されている２つの壁が設けられている。これらの壁の夫々は、ペーパーロールを支持している軸の個々の端又は筒の開口中に受け入れられることができる個々の軸ジャーナルを受け入れるための案内を有する。
【０００５】
その案内は、引き出し（pull-off）装置の方向に向かい斜めに延出している巻解（unrolling）部分を備え、ここにいて、使用中のトイレットペーパーロールはその周面を引き出し（pull-off）装置のベルトに対し接触させている。当該技術分野において知られているこの実施形態においては、引き出し（pull-off）装置が、ロール状に巻かれていた紙を解き、そして給紙するための自動装置として具体化されている。その案内はさらに、実質的に垂直に延出しており巻解部分と合流し予備トイレットペーパーロールを格納することが意図されている供給部分を備える。
【０００６】
当該技術分野において知られているこの実施形態においては、軸が２つの側方に設けられている金属薄板の垂直片の細長溝中で案内されており、垂直片はベース板に対し取り付けられている。案内がその上端において開口しており、その結果として、トイレットペーパーロールを伴った軸が上方から挿入されることができる。そこに以前からあったロールが完全に使用し尽くされ、そして空の筒が下方に排出されると、細長溝の上方領域中に配置されていて予備として役立つトイレットペーパーロールが次に案内の斜め区域中に移動されるよう制御するために振り子レバーが使用されている。ロール状に巻かれていた紙を解き、そして給紙するための自動装置は故障になり易い。さらに、トイレットペーパーロールは、自動的な巻き解きを許容するために常に同じ特定の向きに挿入されなければならない。
【０００７】
ドイツ国特許出願ＤＥ１０２０１１００４５１１  Ａ１  に記載されているのは、前壁により連結されている２つの平行な側端板を備える、トイレットペーパーロールのためのホルダーである。これにおいては、前壁が下方の切り取り刃を形成している。端板の夫々は、トイレットペーパーロールを保持している軸の個々の端の支持のための案内を含む。案内は、前壁の切り取り刃に向かう方向に延出しているとともに少なくとも実質的な直線で具体化されている主要部分を含む。トイレットペーパーロールの直径とは無関係に正しい切り取り刃が常に利用可能となることを確実にする目的のために、上記公報はトイレットペーパーロールを切り取り刃に向かう方向に移動させる力付与装置（force-applying device）を提供している。力付与装置は枢動可能に設けられているアームとして具体化されていて、アームはトイレットペーパーロールを運ぶ軸の端部に対しばね負荷の結果として支持されている。この実施形態は構造的に複雑な設計であり、結果として故障がより予想される。力付与装置は、トイレットペーパーロール、詳細には後者の周面、を前壁の内面に対し押し、その結果、巻き解きが一方向においてのみ行われることができる。
【０００８】
これを基礎にして、この発明の目的は、上に記載されていた型のトイレットペーパーロールのためのホルダーを構造的な簡素さと低維持管理設計を有するようさらに発展させることである。さらに、トイレットペーパーの巻き解き（unrolling）をトイレットペーパーロールの巻き方向とは独立して可能にしなければならない。
【発明の概要】
【０００９】
この目的は、他の特徴のなかで、以下の第１壁，限界停止具（limit stop），そして第２切り取り要素によるこの発明により達成される。第１壁は、トイレットペーパーロールの回転中心線が後壁に対し直角に延出するよう後壁を形成又は後壁に連結されていて、ここにおいて、その巻きを解く方向とは無関係に、トイレットペーパーロールが第１及び第２壁の案内中に受け入れられ、そして巻きを解くことができる。限界停止具（limit stop）は、トイレットペーパーロールの周面に関連して、両方向におけるトイレットペーパーロールの巻き解きを容易にする凸状表面を有している。そして、第２切り取り要素は、ホルダー中に備えられているとともに、第１切り取り要素に対して給紙開口の反対側で平行に実質的に配置されており、ここにおいて、第１及び第２切り取り要素が給紙開口の側方縁を形成する。
【００１０】
技術の現況と比較して、この発明のホルダーは、トイレットペーパーロールがそれらの巻きの方向とは独立してホルダー中に挿入されることができ、特に簡素及び無故障動作を容易にしている。それらの巻きの方向とは独立してトイレットペーパーロールを巻き解くことは限界停止具（limit stop）の特別な表面形状により容易にされ、それは巻きを解いている間にトイレットペーパーロールの外周面と接触する。この発明に従えば、その表面は凸状に具体化されることを意図されていて、その結果、トイレットペーパーロールの左回り回転の間はもちろん右回り回転の間もまた同様に、同じ小さな力が適用される。
【００１１】
好適な実施形態において、前記表面は、特定の紙の型のために適している摩擦水準を設定するよう、隆起（ridge）又はこぶ（nub）のような、表面構造を有して良い。
【００１２】
それらの回転中心線が後壁に対し直角に向けられるようトイレットペーパーロールはホルダー中に支持されているという特徴に関連して、人はまた底側の給紙開口からの両側でのペーパーウエッブの給紙を実現することができ、ここにおいて、底側給紙開口は切り取り要素により側方が縁どられていて、夫々の給紙側でペーパーウェブを切り取ることを容易とする。
【００１３】
この発明に従っている実施形態は使用の１つのモードを容易にしており、そのモードにおいては、使用者から遠くに向いているホルダーの側面上で給紙開口からパーパーウェブが垂れ下がるようトイレットペーパーロールがホルダー中に挿入されることができ、その結果として、使用者により近い切り取り要素でペーパーウェブを切り取った後に、ペーパーウェブの一端部分が、ペーパーウェブの一端が切り取り要素を超えて給紙開口の外に落ち、そして結果として容易に掴むことができるような長さになる。
【００１４】
特に好適な実施形態は、凸状表面が側壁の，ボルトの，又は軸の一部分により形成されていることを特徴としている。
【００１５】
最小の力の適用のみによる２つの側での巻き解きを許容するために、特に好適な凸状表面は、２．５ｍｍ≦Ｒ≦１０ｍｍの範囲内の半径Ｒを有し、好ましくはＲ＝５ｍｍである。
【００１６】
使用済のトイレットペーパーロールの筒又は軸の排出を確実にするために、斜めに延出している巻解部分が、案内とともに、頂から底へと実質的に垂直に延出している排出部分へと移行することが意図されていて、ここにおいて、ボルトが巻解部分と排出部分との間の移行区域の高さ水準に配置されているとともに、凸状表面が移行区域において案内から筒の１つの半径に対し実質的に対応している距離に配置されている。
【００１７】
種々の直径の筒を伴っているトイレットペーパーロールをホルダー中において使用することができるようにするために、案内から相対的な種々の距離の位置にボルトを固定できることが意図されている。
【００１８】
特に好適な実施形態においては、ボルト又は軸が第１及び第２壁の間に延出しているとともにトイレットペーパーロールの回転中心線に対し平行に向けられていることが意図されている。
【００１９】
切り取り要素は、給紙開口の領域中で第１及び第２壁を連結している側壁部分として好ましくは具体化されており、ここにおいて、切り取り要素は、第１及び第２壁の間に側壁部分を形成している第１部分と、その縁が鋸歯状縁として具体化されている第２部分と、を備えている。
【００２０】
好ましくは鋸歯形状を備えている切り取り要素の部分は、ペーパーウェブの容易な切り取りを手助けするために、給紙開口の方向に角度が付けられている。
【００２１】
第１及び第２壁は側壁部分とともに、ハウジングの後壁に対し好ましくは固定されているとともにフード状の覆いにより覆われることができるモジュールを形成することがさらに意図されている。このようであれば、例えば電気的な又は機械的なホルダー（holder）のような異なった形態のホルダーが実現され、そして１つのハウジング中に配置されて良い。
【００２２】
別の実施形態が、一方が他方の上方に配置されているとともに筒又は軸上に巻かれているペーパーウェブから成る少なくとも２つのトイレットペーパーロールのためのホルダーに関係し、ホルダーは互いに平行にある距離で配置されている第１及び第２壁を備えており、ここにおいて、壁の夫々は、軸のそれぞれの一端又は筒に格納されることができる軸ジャーナルのそれぞれを受け入れるための案内を含み、案内中に配置されている下方のトイレットペーパーロールは自身の重量のためにその周面に沿って限界停止具（limit stop）に支持され、そして、ペーパーウェブは給紙開口を通ってトイレットペーパーロールから巻き解かれることができるとともに、少なくとも１つの切り取り要素を使用して切り取られることができる。
【００２３】
この実施形態は、トイレットペーパーロールの回転中心線が後壁に対し直角に延出するように第１壁が後壁を形成するか又は後壁に連結されていて、そして限界停止具（limit stop）が、トイレットペーパーロールの周面に比較して、凸状表面を有している、ことが特徴とされている。
【００２４】
好適な実施形態は、ホルダーが第１及び第２切り取り要素を備えていて、ここにおいて、第１切り取り要素及び第２切り取り要素が給紙開口の対向している側に配置されている。
【００２５】
動作位置にあるトイレットペーパーロールが供給部分中に押し戻されることを避けるために、動作位置にあるトイレットペーパーロールが押し戻されることを阻止する固定要素が前記案内中に配置されていることが意図されている。
【００２６】
固定要素は、第２案内要素において、より詳細には垂直に対し傾斜して延出している巻解部分において、案内に対し横断するように移動可能に設けられている摺動子として具体化されている。
【００２７】
好ましくは、重力又はばね負荷の何れかにより、摺動子は一端で第１案内要素の内表面に対し当接している。
【００２８】
案内中に突出している摺動子の端は供給側上が楔形状として具体化されていて斜めの表面を有しており、その結果として、トイレットペーパーロールがそばを通った時に軸又は軸ジャーナルの端が摺動子を開位置へと移動させることができ、そして、軸又は軸ジャーナルの端の通過後に摺動子は、重力又はばね負荷の何れかにより、閉位置へと落ちる。
【００２９】
この発明の更なる詳細，利点，そして特徴は、特許請求の範囲中に，その中に特定されている特有な特徴を、個別に及び／又は組み合わせにより見出すことができるだけでなく、図面中に示されている好適な実施形態の例の以下の記載中にも個別に及び／又は組み合わせにより見出すことができる。
【図面の簡単な説明】
【００３０】
【図１】図１は、トイレットペーパーロールのためのホルダーの正面図。
【図２】図２は、図１の切断線Ａ−Ａに沿った断面によるホルダーの側面図。
【図３】図３は、図１のホルダーの側面図
【図４】図４は、図３の切断線Ｂ‐Ｂに沿った断面によるホルダーの正面図。
【図５】図５は、図３の切断線Ｃ‐Ｃに沿った断面によるホルダーの正面図。
【図６】図６は、図４の切断線Ｄ‐Ｄに沿った振り子レバーのための取付台の断面図。
【図７】図７は、軸又は軸ジャーナルの端を受け入れるための案内が付いた壁の正面図。
【図８】図８は、２つのトイレットペーパーロールが互いの上に配置されている、開かれているトイレットペーパーロールホルダーの正面図。
【発明を実施するための形態】
【００３１】
図１は、少なくとも２つのトイレットペーパーロール１２，１４のためのホルダー１０の正面図を示している。ホルダー１０は、ホルダー１０を壁に対し設置するために役立つ後壁１８を有するハウジング１６を備えている。後壁１８上には、フード状の覆い２０がヒンジ２２により枢動可能に配置されていて固定具２４により固定可能である。フード状の覆い２０の前側には監視窓２６が設けられていて、それを通して使用中のトイレットペーパーロール１４のトイレットペーパーの消耗を監視することができる。
【００３２】
ホルダー１０は、後壁１８に対し平行に延出し後壁１８に連結されている第１の壁、すなわち後壁２８を備える。第１の壁、すなわち後壁２８に対しある距離で平行に第２の壁、すなわち前壁３０が配置されていて、ここにおいて、トイレットペーパーロール１２，１４は、回転中心線３２，３４が後壁１８に対し直角に延出すよう壁２８，３０間に配置されている。結果として、トイレットペーパーロールは後壁１８に対し平行な面内で回転し、その結果としてホルダー１０は、大きな直径を伴ったトイレットペーパーロールが使用される時でさえも、小さな深さで具体化されることができる。
【００３３】
トイレットペーパーロール１２，１４に対面している壁２８,３０の個々の内側３６，３８上には卵形断面を有した案内４０，４２が設けられていて、その中には、中心線方向に沿いトイレットペーパーロール１２，１４の両端を越えて突出した軸ジャーナル４４，４６が格納され案内される。軸ジャーナル４４，４６は、トイレットペーパーロール１２，１４の筒５２，５４の端面における個々の開口中に挿入されているキャップ４８，５０の端部分である。軸ジャーナルはまた、トイレットペーパーロール１２，１４を通って延びている軸の端部分であっても良い。
【００３４】
使用中のトイレットペーパーロール１４の、一般的にはミシン目が形成されていない、ペーパーウェブ５６は、底側の給紙開口５８から引き出され、そして給紙開口をその両側で境界付けしている第１及び第２切り取り要素６０，６２を使用して所望の長さに切り取られ得る。切り取り要素６０，６２は、第１壁２８と第２壁３０との間の側方連結要素を形成していて、後壁１８に対し直角に延出している。
【００３５】
図３は、閉じられている状態におけるハウジング１６を伴ったホルダー１０の側面図を示している。
【００３６】
図４は、図３の断面線Ｂ−Ｂに沿った断面図において案内４０を伴った第１の，すなわち後壁２８の正面図を示している。案内４２を伴っている第２の，すなわち後壁３０が対応して鏡面対称で具体化されていて、結果としてより詳細には説明されない。
【００３７】
案内４０は、壁２８の内側３６の表面上に具体化されていて、そして、横方向は、第１案内要素６４、同様な第２案内要素６６により限定されている。案内４０は、幾つかの部分を備えている。個々の第１及び第２案内要素６４，６６の上端６８，７０から始まり、控えのトイレットペーパーロール１２を格納するための予備部分としてＶ字形状の第１部分４０ａが延び出している。第１部分４０ａは第２部分４０ｂ中に合流し、第２部分４０ｂは、頂から底まで垂直に延出し、トイレットペーパーロール１２をそれが使用者に対し使用可能となる位置へと案内するよう働く供給部分を形成している。
【００３８】
第２部分４０ｂは第３部分４０ｃに合流し、第３部分４０ｃは、第２切り取り縁６２に向かう方向に直線で斜めに延出している。結果として、第３部分４０ｃは、トイレットペーパーロール１４の重量を使用してそれを側方の限界停止具７２に向かう方向に移動させるよう働く巻解部分を形成しており、ここにおいて、使用中のトイレットペーパーロール１４の周面が限界停止具７２の表面７３に接触する。
【００３９】
第３部分４０ｃは第４部分４０ｄへ移行し、第４部分４０ｄは、頂から底まで垂直に延出し、使用中のトイレットペーパーロール１４が使い果たされた時に空の筒５４を排出するよう働く排出部分を形成している。
【００４０】
排出部分は第５部分４０ｅに続き、第５部分４０ｅは第１切り取り縁６０に向かう方向に斜めに延出していて、空の筒５４を排出するよう具体化されている取り除き部分を形成している。
【００４１】
案内４０は最後に第６部分４０ｆを備えており、第６部分４０ｆは上方に斜めに延出し、空のスリーブ５４が案内４０から側方に取り除かれることを許容するよう働く抜き取り部分を形成している。
【００４２】
空の筒が排出部分の最も下の地点に配置された時、好ましくは色で印がつけられているこぶ（nub）４８，５０が外側から見ることができて、その結果として、点検員が空の筒を取り代えるための視覚的な指示を受け取る。
【００４３】
給紙開口５８に向かう方向において、取り除き部分４０ｅは第２案内要素６６により境界が決められている。上方限界として動作するために第３案内要素７４が設けられていて、第３案内要素７４は第２案内要素６６の上方に或る距離で壁２８の表面３２上に配置されている。
【００４４】
第１案内要素６４は振り子レバーとして具体化されていて、振り子レバーは、供給部分４０ｂと巻解部分４０ｃとの間の移行領域中に配置されているヒンジ７６上に枢動可能に設けられている。振り子レバー６４は第１腕７８を備えており、第１腕７８は斜めに延出している側方表面８０とともに予備部分のための縁を形成しており、そして直線状に延出している側方表面８２とともに供給部分４０ｂのための側方限界を形成している。
【００４５】
斜めの側方表面８０と直線状の側方表面８２との間の移行区域中には、供給部分４０ｂを閉鎖するために第２案内要素６６の側方表面８６に対し接触することができる突起８４が設けられている。
【００４６】
さらに、振り子レバー６４は第２腕８８を有しており、第２腕８８は、垂直に延出している排出部分４０ｄの方向にヒンジ７６から延出していて、限界停止具７２の高さ位置で終了している。第２腕８８の側方表面９０は巻解部分４０ｃの側方下方限界を形成しており、側方下方限界上には使用中のトイレットペーパーロール１４のペグ（peg）４４が支持され、その結果として、振り子レバー６４の第１腕７８の突起８４が第２案内要素６６の側方表面８６に対し押し当てられ、予備部分４０ａ中に閉じ込められているトイレットペーパーロール１２が供給部分４０ｂ中に、そして結果として巻解部分４０ｃ中に、進むことを阻止する。
【００４７】
図５は、図３の断面線Ｃ−Ｃに沿ったホルダーの断面図を正面図において示しており、ここにおいて、予備部分４０ａ中に予備として使われるトイレットペーパーロール１２が第１腕７８の突起８４により阻止され、そして、トイレットペーパーロール１４がその周面で限界停止具７２と接触している間に使用中のトイレットペーパーロール１４が、そのペグ（peg）４４とともに、巻解部分４０ｃ中に配置され、そしてペーパーウェブ５６が下方の給紙開口５８から出てくる。
【００４８】
トイレットペーパーロールの重量のために、第１腕７８が突起８４により第２案内要素６６の内表面８６に対し押され、その結果として予備として意図されているトイレットペーパーロール１２が予備領域４０ａ中に固定される。
【００４９】
トイレットペーパーウェブ５６の連続した使用は使用中のトイレットペーパーロール１４の直径を減少させ、その結果として、消費の増大と共に、トイレットペーパーロール１４が排出部分４０ｄの方向へと移動される。
【００５０】
使用中のトイレットペーパーロール１４が、第２腕８８の端又は巻解部分４０ｃの端と限界停止具７２の表面との間の距離Ａに実質的に対応している直径に達するや否や、筒５４は垂直に延出している排出部分４０ｄ中に落下し、そして、取り除き部分４０ｅを通って除去部分４０ｆ中に案内される。
【００５１】
この発明に従えば、限界停止具７２は凸状の表面７３を有しており、そして第１壁２８と第２壁３０との間を延出するボルトとして具体化されていて、ここにおいて、第２腕８８の端又は巻解部分４０ｃの端とボルト７２の表面７３との間の距離がトイレットペーパーロールに収納されている筒５４の半径に実質的に対応しており、その結果として、トイレットペーパーウェブ５６が使い尽くされた時には、重力が筒５４を排出部分４０ｄ中へと落下させる。
【００５２】
凸状表面を伴っている限界停止具７２のこの発明の特徴は、使用中のトイレットペーパーロール１４が両方向に巻き解くことができることを確実にする。トイレットペーパーロール１４は後壁に対し平行に延出している平面内で巻き解かれることができるので、ペーパーウェブ５６が右方向巻き解けトイレットペーパーロールに与えられた切り取り要素６２で切り取られることができるとともに左方向巻き解けトイレットペーパーロールに与えられた切り取り要素６０で切り取られることができるというさらなる利点を達成する。その表面は、横断又は長手方向に沿う波形の表面構造を有することができる。
【００５３】
技術の現況と比較すると、トイレットペーパーロール１２，１４の直径とは無関係に浅い深さのホルダー１０を実現することができるという利点を達成し、さらに、それらの巻き方向からは独立してトイレットペーパーロール１２，１４を挿入することができ、トイレットペーパーロールを挿入する時に点検員が巻きの方向について注意しなくとも良いので特に簡易で誤りのない仕事の達成を許容する。
【００５４】
ホルダー１０はさらに、ボルト７２の形状の限界停止具が種々の位置に配置されることができることにより特徴付けられている。図４は、ある位置のボルト７２´を示していて、ここにおいて、ボルト７２´と第２腕８８の端との間の距離が減少されている。これは、より小さな直径の筒５４´を伴うペーパーロールを採用するという選択を作り出す。壁２８，３０中に具体化されているのは、対応している受け入れ場所であり、その結果として、意図された使用次第でホルダーは、より大きな直径の筒５４のためのボルト７２又はより小さな直径の筒５４´のためのボルト７２´の何れでも保持し得る。
【００５５】
凸状表面を伴う限界停止具７２のこの発明の実施形態に加えて、ホルダー１０の実施形態が特に複雑でない機械構造により特徴付けられている。例えば、第１，第２，そして第３案内要素とともに壁２８，３０が、いずれの側でも使用されることができる同一の構成要素として夫々具体化されている。第１，第２，そして第３案内要素を固定する目的のために、壁２８，３０に、案内要素６４，６６，７４を所定位置に固定するために鏡像位置に個々のピン又はこぶ（nub）９２が設けられている。これにおいては、案内要素が、ピン又はこぶ（nub）９２上に適合され、そして次に、例えば熱適用工程により、所定の場所に溶着される開口９４を含む。
【００５６】
図６は、振り子レバー６４の回転可能な関節状取り付けのためのヒンジ７６の断面図を示している。ヒンジ７６は、振り子レバー６４の開口９８を通って延出し壁２８の取り付け台１００中に固定されている軸９６を備える。
【００５７】
後壁２８と前壁３０との間の距離を維持する目的のために、スペーサ−要素１０２，１０４が、切り取り要素６０，６２の部分１０６，１０８とともに、設けられていて、部分１０６，１０８は後壁２８の縁部分から実質的に垂直に延出していて、前壁３０の縁部分に対し、溶接されているように、連結されることができる。
【００５８】
図７は、トイレットペーパーロール１２，１４無しの開放されている状態におけるホルダー１０の正面図を示している。案内４０が壁２８に設けられている。図４を参照して既に説明されているように、案内４０は、幾つかの部分を備えていて、詳細には、予備のトイレットペーパーロール１２を格納するための予備部分としての第１部分４０ａ、トイレットペーパーロールを使用者に対し利用可能にする位置へと案内するための供給部分を形成している第２，すなわち垂直延出部分４０ｂ、同様に、垂直に対し斜めに延出していて使用中のトイレットペーパーロール１４をそれ自身の重さを使用して側方の限界停止具７２に向かい案内するよう働き、ここでは、使用中のトイレットペーパーロール１４の周面が限界停止具７２の表面７３に接触する、巻解部分を形成する第３部分４０ｃである。
【００５９】
案内４０は、第１案内要素６４により、第２案内要素６６によってもまた、境界が決められている。案内要素６４，６６が壁２８上に設けられていて、そして実質的にＵ字形状の案内４０を形成している。
【００６０】
それ自身の発明上の利点を伴っている実施形態においては、閉鎖要素１１０が案内４０の本体に沿い配置されていて、使用者による不注意な取り扱いによる、下方の使用中のトイレットペーパーロール１４が上方に、即ち垂直な供給部分４０ｂの方向に、不注意で押されることを阻止する。閉鎖要素１１０は、垂直に対し斜めに延出している巻解部分４０ｃ中に配置されている。これは、閉鎖要素１１０は、垂直に対し斜めに延出している第２案内要素６６の部分中に配置されている摺動子として具体化されている。摺動子１１０は、第２案内要素中に、案内に対し矢印１１２の方向に沿い横方向に移動可能に設けられており、ここにおいて、閉位置では摺動子１１０の端１１４は第１案内要素６４に対し支持されている。
【００６１】
案内４０中に突出している摺動子の端１１４は供給側上の楔形状により具体化されて斜めの表面１１４を有しており、その結果として、供給部分から巻解部分へと案内されているトイレットペーパーロールの軸又は軸ジャーナルの端が摺動子１１０を開ける。
【００６２】
これにおいては、軸又は軸ジャーナルの端が通過する時に摺動子が持ち上げられ、そして端又は軸ジャーナルが通過した後にそれは、重力又はばね負荷の何れかにより、それの当初位置へと自動的に落ち戻り、トイレットペーパーロールが押し戻されることを阻止する。
【００６３】
反対方向への移動の際には、軸又は軸ジャーナルの端が摺動子１１０の平坦な表面１１８に対し押され、その結果として、摺動子は、図８中に示されているように、閉位置に留まる。これは、下方のトイレットペーパーロール１４が押し戻されることが予備のトイレットペーパーロール１２が予備部分４０ａ中のその位置から不注意に解放されてしまうことを生じさせることを阻止する。摺動子１１０は好ましくは垂直に対し傾斜して設けられ、その結果として重力がそれをその開位置から閉位置中へと落下することを生じさせることができる。もう１つの選択肢は、ばね負荷の下で摺動子１１０が第２案内要素６６中に移動可能に設けられることである。
【図１】
2018512989.tif 000003
【図２】
2018512989.tif 000004
【図３】
2018512989.tif 000005
【図４】
2018512989.tif 000006
【図５】
2018512989.tif 000007
【図６】
2018512989.tif 000008
【図７】
2018512989.tif 000009
【図８】
2018512989.tif 000010
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
一方が他方の上方に配置されていて筒（５２，５４）又は軸の回りに巻かれているペーパーウェブ（５６）から成る少なくとも２つのトイレットペーパーロール（１２，１４）のためのホルダー（１０）であって、
相互に平行にある距離で配置されている第１及び第２壁（２８，３０）を備えており、
ここにおいて、壁（２８，３０）の夫々が、軸の個々の端又は筒の開口中に受け入れられることができる個々の軸ジャーナルを受け入れるための案内（４０，４２）を含んでいて、
前記案内（４０，４２）が、トイレットペーパーロール（１２，１４）を供給するための実質的に垂直に延出している供給部分（４０ｂ）を有し、この供給部分は、少なくとも１つの切り取り要素（６０，６２）又は限界停止具（７２）の方向において垂直に対しある角度で延出している巻解部分（４０ｃ）に移行しており、
前記巻解部分（４０ｃ）中に配置されている下方のトイレットペーパーロール（１２，１４）がそれ自身の重量によりその周側で前記限界停止具（７２）によって支持され、そして、
前記ペーパーウェブ（５６）が給紙開口（５８）を介しトイレットペーパーロール（１４）から巻き解くことができるとともに少なくとも１つの切り取り要素（６０，６２）で切り取られることができる、
前記ホルダーにおいて、
前記トイレットペーパーロール（１２，１４）の回転中心線（４６）が後壁（１８）に対し直角に延出するよう前記第１壁（２８）が後壁（１８）を形成するか又はこのような後壁に連結され、前記トイレットペーパーロール（１２，１４）がその巻解方向とは無関係に前記第１及び第２壁（２８，３０）の前記案内（４０，４２）に受け入れられるとともに巻き解かれることができ、
前記限界停止具（７２）が、両方向におけるトイレットペーパーロール（１２，１４）の巻解けを容易にする、トイレットペーパーロール（１２，１４）の周面に関して凸状の表面（７３）を有し、そして、前記ホルダー（１０）が給紙開口の反対側で第１切り取り要素（６０）に対し実質的に平行に配置されている第２切り取り要素（６２）を備えていて、前記第１及び第２切り取り要素（６０，６２）が前記給紙開口（５８）の側方境界を形成している、
ことを特徴する、トイレットペーパーロールホルダー。
【請求項２】
前記凸状の表面（７３）が、側壁，ボルト（７２），又は軸の一部分により形成されている、ことを特徴とする請求項１に記載のトイレットペーパーロールホルダー。
【請求項３】
前記凸状の表面が、２．５ｍｍ≦Ｒ≦１０ｍｍの範囲内の半径Ｒを有し、好ましくはＲ＝５ｍｍである、ことを特徴とする請求項１又は２に記載のトイレットペーパーロールホルダー。
【請求項４】
前記表面（７３）が、隆起又はこぶ（nub）のような表面構造により具体化されている、ことを特徴とする請求項１乃至３の何れか１項に記載のトイレットペーパーロールホルダー。
【請求項５】
垂直に対しある角度で延出している前記案内（４０）の前記巻解部分（４０ｃ）が実質的に垂直に延びている排出部分（４０ｄ）に移行しており、そこにおいては、ボルト（７２）又は前記軸が前記巻解部分（４０ｃ）と前記排出部分（４０ｄ）との間の移行領域の高さ位置に配置されていて、そして、前記凸状の表面（７３）が移行区域において前記案内（４０）から前記筒（５４）の１つの半径に対し実質的に対応している距離だけ離されている、ことを特徴とする請求項１に記載のトイレットペーパーロールホルダー。
【請求項６】
前記ボルト（７２，７２´）又は前記軸が採用されている筒の半径に従い前記案内（４０）から異なった分離距離で固定される、ことを特徴とする請求項２に記載のトイレットペーパーロールホルダー。
【請求項７】
前記ボルト（７２）又は前記軸が前記第１及び第２壁の間に延出しているとともに、トイレットペーパーロール（１２，１４）の前記回転中心線（４６）に対し平行に延出している、ことを特徴とする請求項２に記載のトイレットペーパーロールホルダー。
【請求項８】
前記切り取り要素（６０，６２）が、前記給紙開口（２８）の領域において前記第１及び第２壁（２８，３０）を連結するための側壁部分として具体化されている、ことを特徴とする請求項１に記載のトイレットペーパーロールホルダー。
【請求項９】
前記切り取り要素（６０，６２）が、前記第１及び第２壁（２８，３０）の間に側壁部分を形成する第１部分（１０６，１０８）を切り取り鋸歯として具体化されている縁を伴った第２部分とともに備えている、ことを特徴とする請求項１に記載のトイレットペーパーロールホルダー。
【請求項１０】
前記切り取り鋸歯を備えている前記切り取り要素の部分が給紙開口の方向に向かう角度が付けられている、ことを特徴とする請求項９に記載のトイレットペーパーロールホルダー。
【請求項１１】
前記第１及び第２壁（２８，３０）は側壁部分（１０２，１０４，１０６，１０８）とともに、ハウジング（１６）の後壁（１８）に取り付けられているとともに覆い（２０）により覆われることができるモジュールを形成する、ことを特徴とする請求項１に記載のトイレットペーパーロールホルダー。
【請求項１２】
一方が他方の上方に配置されているとともに筒（５２，５４）又は軸上に巻かれているペーパーウェブ（５６）から成る少なくとも２つのトイレットペーパーロール（１２，１４）のためのホルダー（１０）であって、
相互に平行にある距離で配置されている第１及び第２壁（２８，３０）を備えており、
ここにおいて、壁（２８，３０）の夫々は軸の夫々の一端又は筒中に格納されることができる軸ジャーナルを受け入れるための案内（４０，４２）を有しており、前記案内（４０，４２）で下方に配置されているトイレットペーパーロール（１２，１４）は自身の重量のために、その周面を限界停止具（７２）によって支持され、そして、前記ペーパーウェブ（５６）は給紙開口（５８）を通ってトイレットペーパーロール（１４）から巻き解かれることができるとともに、少なくとも１つの切り取り要素（６０，６２）を使用して切り取られることができる、
前記ホルダーにおいて、
トイレットペーパーロール（１２，１４）の回転中心線（４６）が後壁（１８）に対し直角に延出するように第１壁（２８）が後壁（１８）を形成するか又は後壁に連結されていて、そして限界停止具（７２）が、トイレットペーパーロール（１２，１４）の周面に関連して、凸状の表面（７３）を有している、
ことを特徴する、トイレットペーパーロールホルダー。
【請求項１３】
前記ホルダー（１０）が第１及び第２切り取り要素（６０、６２）を備えていて、ここにおいて、第１切り取り要素（６０）及び第２切り取り要素（６２）が給紙開口（５８）の対向している側に配置されている、ことを特徴とする請求項１２に記載のトイレットペーパーロールホルダー。
【請求項１４】
使用中のトイレットペーパーロール（１４）が前記案内（４０，４２）の供給部分（４０ｂ）中に押し戻されることを阻止する閉鎖要素（１１０）が前記案内（４０，４２）中に配置されている、ことを特徴とする請求項１に記載のトイレットペーパーロールホルダー。
【請求項１５】
前記閉鎖要素（１１０）が、第２案内要素（６６）において、垂直に対し傾斜して延出している巻解部分（４０ｃ）において、前記案内（４０，４２）に対し横断するように移動可能に設けられている摺動子として具体化されている、ことを特徴とする請求項１４に記載のトイレットペーパーロールホルダー。
【請求項１６】
重力又はばね負荷の何れかのために、摺動子（１１０）はその端（１１４）で第１案内要素（６４）の内表面（９０）に対し当接している、ことを特徴とする請求項１５に記載のトイレットペーパーロールホルダー。
【請求項１７】
案内中に突出している前記摺動子（１１０）の端（１１４）は供給側上が楔形状として具体化されていて斜めの表面（１１６）を有しており、その結果として、ペーパーロールがそばを通った時に軸又は軸ジャーナルの端（４０）により摺動子（１１０）が開位置へと移動されることができ、そして、軸又は軸ジャーナルの端（４０）が通過した後に摺動子は、重力又はばね負荷の何れかのために、閉位置へと落ちる、ことを特徴とする請求項１６に記載のトイレットペーパーロールホルダー。
【請求項１８】
摺動子（１１０）が、トイレットペーパーロールの１つの半径に実質的に対応した距離で前記限界停止具（７２）に関して配置されている、ことを特徴とする請求項１乃至１７の何れか１項に記載のトイレットペーパーロールホルダー。
【手続補正２】
【補正対象書類名】明細書
【補正対象項目名】００６３
【補正方法】変更
【補正の内容】
【００６３】
反対方向への移動の際には、軸又は軸ジャーナルの端が摺動子１１０の平坦な表面１１８に対し押され、その結果として、摺動子は、図８中に示されているように、閉位置に留まる。これは、下方のトイレットペーパーロール１４が押し戻されることが予備のトイレットペーパーロール１２が予備部分４０ａ中のその位置から不注意に解放されてしまうことを生じさせることを阻止する。摺動子１１０は好ましくは垂直に対し傾斜して設けられ、その結果として重力がそれをその開位置から閉位置中へと落下することを生じさせることができる。もう１つの選択肢は、ばね負荷の下で摺動子１１０が第２案内要素６６中に移動可能に設けられていることである。
以下に、本願出願の当初の特許請求の範囲に記載された発明を付記する。
［１］  一方が他方の上方に配置されていて筒（５２，５４）又は軸の回りに巻かれているペーパーウェブ（５６）から成る少なくとも２つのトイレットペーパーロール（１２，１４）のためのホルダー（１０）であって、
相互に平行にある距離で配置されている第１及び第２壁（２８，３０）を備えており、
ここにおいて、壁（２８，３０）の夫々が、軸の個々の端又は筒の開口中に受け入れられることができる個々の軸ジャーナルを受け入れるための案内（４０，４２）を含んでいて、
前記案内（４０，４２）が、トイレットペーパーロール（１２，１４）を供給するための実質的に垂直に延出している供給部分（４０ｂ）を有し、この供給部分は、少なくとも１つの切り取り要素（６０，６２）又は限界停止具（７２）の方向において垂直に対しある角度で延出している巻解部分（４０ｃ）に移行しており、
前記巻解部分（４０ｃ）中に配置されている下方のトイレットペーパーロール（１２，１４）がそれ自身の重量によりその周側で前記限界停止具（７２）によって支持され、そして、
前記ペーパーウェブ（５６）が給紙開口（５８）を介しトイレットペーパーロール（１４）から巻き解くことができるとともに少なくとも１つの切り取り要素（６０，６２）で切り取られることができる、
前記ホルダーにおいて、
前記トイレットペーパーロール（１２，１４）の回転中心線（４６）が後壁（１８）に対し直角に延出するよう前記第１壁（２８）が後壁（１８）を形成するか又はこのような後壁に連結され、前記トイレットペーパーロール（１２，１４）がその巻解方向とは無関係に前記第１及び第２壁（２８，３０）の前記案内（４０，４２）に受け入れられるとともに巻き解かれることができ、
前記限界停止具（７２）が、両方向におけるトイレットペーパーロール（１２，１４）の巻解けを容易にする、トイレットペーパーロール（１２，１４）の周面に関して凸状の表面（７３）を有し、そして、前記ホルダー（１０）が給紙開口の反対側で第１切り取り要素（６０）に対し実質的に平行に配置されている第２切り取り要素（６２）を備えていて、前記第１及び第２切り取り要素（６０，６２）が前記給紙開口（５８）の側方境界を形成している、
ことを特徴する、トイレットペーパーロールホルダー。
［２］  前記凸状の表面（７３）が、側壁，ボルト（７２），又は軸の一部分により形成されている、ことを特徴とする［１］に記載のトイレットペーパーロールホルダー。
［３］  前記凸状の表面が、２．５ｍｍ≦Ｒ≦１０ｍｍの範囲内の半径Ｒを有し、好ましくはＲ＝５ｍｍである、ことを特徴とする［１］又は［２］に記載のトイレットペーパーロールホルダー。
［４］  前記表面（７３）が、隆起又はこぶ（nub）のような表面構造により具体化されている、ことを特徴とする［１］乃至［３］の何れか１項に記載のトイレットペーパーロールホルダー。
［５］  垂直に対しある角度で延出している前記案内（４０）の前記巻解部分（４０ｃ）が実質的に垂直に延びている排出部分（４０ｄ）に移行しており、そこにおいては、ボルト（７２）又は前記軸が前記巻解部分（４０ｃ）と前記排出部分（４０ｄ）との間の移行領域の高さ位置に配置されていて、そして、前記凸状の表面（７３）が移行区域において前記案内（４０）から前記筒（５４）の１つの半径に対し実質的に対応している距離だけ離されている、ことを特徴とする［１］乃至［４］の何れか１項に記載のトイレットペーパーロールホルダー。
［６］  前記ボルト（７２，７２´）又は前記軸が採用されている筒の半径に従い前記案内（４０）から異なった分離距離で固定される、ことを特徴とする［１］乃至［５］の何れか１項に記載のトイレットペーパーロールホルダー。
［７］  前記ボルト（７２）又は前記軸が前記第１及び第２壁の間に延出しているとともに、トイレットペーパーロール（１２，１４）の前記回転中心線（４６）に対し平行に延出している、ことを特徴とする［１］乃至［６］の何れか１項に記載のトイレットペーパーロールホルダー。
［８］  前記切り取り要素（６０，６２）が、前記給紙開口（２８）の領域において前記第１及び第２壁（２８，３０）を連結するための側壁部分として具体化されている、ことを特徴とする［１］乃至［７］の何れか１項に記載のトイレットペーパーロールホルダー。
［９］  前記切り取り要素（６０，６２）が、前記第１及び第２壁（２８，３０）の間に側壁部分を形成する第１部分（１０６，１０８）を切り取り鋸歯として具体化されている縁を伴った第２部分とともに備えている、ことを特徴とする［１］乃至［７］の何れか１項に記載のトイレットペーパーロールホルダー。
［１０］  前記切り取り鋸歯を備えている前記切り取り要素の部分が給紙開口の方向に向かう角度が付けられている、ことを特徴とする［１］乃至［９］の何れか１項に記載のトイレットペーパーロールホルダー。
［１１］  前記第１及び第２壁（２８，３０）は側壁部分（１０２，１０４，１０６，１０８）とともに、ハウジング（１６）の後壁（１８）に取り付けられているとともに覆い（２０）により覆われることができるモジュールを形成する、ことを特徴とする［１］乃至［１０］の何れか１項に記載のトイレットペーパーロールホルダー。
［１２］  一方が他方の上方に配置されているとともに筒（５２，５４）又は軸上に巻かれているペーパーウェブ（５６）から成る少なくとも２つのトイレットペーパーロール（１２，１４）のためのホルダー（１０）であって、
相互に平行にある距離で配置されている第１及び第２壁（２８，３０）を備えており、
ここにおいて、壁（２８，３０）の夫々は軸の夫々の一端又は筒中に格納されることができる軸ジャーナルを受け入れるための案内（４０，４２）を有しており、前記案内（４０，４２）で下方に配置されているトイレットペーパーロール（１２，１４）は自身の重量のために、その周面を限界停止具（７２）によって支持され、そして、前記ペーパーウェブ（５６）は給紙開口（５８）を通ってトイレットペーパーロール（１４）から巻き解かれることができるとともに、少なくとも１つの切り取り要素（６０，６２）を使用して切り取られることができる、
前記ホルダーにおいて、
トイレットペーパーロール（１２，１４）の回転中心線（４６）が後壁（１８）に対し直角に延出するように第１壁（２８）が後壁（１８）を形成するか又は後壁に連結されていて、そして限界停止具（７２）が、トイレットペーパーロール（１２，１４）の周面に関連して、凸状の表面（７３）を有している、
ことを特徴する、トイレットペーパーロールホルダー。
［１３］  前記ホルダー（１０）が第１及び第２切り取り要素（６０、６２）を備えていて、ここにおいて、第１切り取り要素（６０）及び第２切り取り要素（６２）が給紙開口（５８）の対向している側に配置されている、ことを特徴とする［１２］に記載のトイレットペーパーロールホルダー。
［１４］  使用中のトイレットペーパーロール（１４）が前記案内（４０，４２）の供給部分（４０ｂ）中に押し戻されることを阻止する閉鎖要素（１１０）が前記案内（４０，４２）中に配置されている、ことを特徴とする［１］乃至［１３］の何れか１項に記載のトイレットペーパーロールホルダー。
［１５］  前記閉鎖要素（１１０）が、第２案内要素（６６）において、垂直に対し傾斜して延出している巻解部分（４０ｃ）において、前記案内（４０，４２）に対し横断するように移動可能に設けられている摺動子として具体化されている、ことを特徴とする［１］乃至［１４］の何れか１項に記載のトイレットペーパーロールホルダー。
［１６］  重力又はばね負荷の何れかのために、摺動子（１１０）はその端（１１４）で第１案内要素（６４）の内表面（９０）に対し当接している、ことを特徴とする［１］乃至［１５］の何れか１項に記載のトイレットペーパーロールホルダー。
［１７］  案内中に突出している前記摺動子（１１０）の端（１１４）は供給側上が楔形状として具体化されていて斜めの表面（１１６）を有しており、その結果として、ペーパーロールがそばを通った時に軸又は軸ジャーナルの端（４０）により摺動子（１１０）が開位置へと移動されることができ、そして、軸又は軸ジャーナルの端（４０）が通過した後に摺動子は、重力又はばね負荷の何れかのために、閉位置へと落ちる、ことを特徴とする［１］乃至［１６］の何れか１項に記載のトイレットペーパーロールホルダー。
［１８］  摺動子（１１０）が、トイレットペーパーロールの１つの半径に実質的に対応した距離で前記限界停止具（７２）に関して配置されている、ことを特徴とする［１］乃至［１７］の何れか１項に記載のトイレットペーパーロールホルダー。
【国際調査報告】
2018512989.tif 000011
2018512989.tif 000012
2018512989.tif 000013
2018512989.tif 000014